(57)【要約】【課題】利用者に負担をかけずに、無線回線の帯域を消費することなく時刻補正をおこなうことができる携帯電話端末装置等の情報処理装置、リーダライタ、時刻補正プログラムおよび時刻補正方法を提供すること。【解決手段】リーダライタ２００は、ＲＦＩＤタグ１５０を備えた携帯電話端末装置１００が近接したのを認識すると、時刻管理部２３０から時刻情報を取得し、ＲＦＩＤタグ１５０に対して送信する。携帯電話端末装置１００においては、ＲＦＩＤタグ１５０が時刻情報を受信すると、時刻補正部１１２がその時刻情報のフォーマットチェック等をチェックし、問題なければ、その時刻情報を基にして時刻管理部１１１の時刻を補正する。【選択図】        図３
2007040881.tif 000002
【特許請求の範囲】
【請求項１】
時計機能を有する情報処理装置であって、
時刻情報を含む情報を受信するＲＦＩＤタグと、
前記ＲＦＩＤタグが時刻情報を受信した場合に、受信した時刻情報を基にして前記時計機能の時刻を補正する時刻補正手段と
を備えたことを特徴とする情報処理装置。
【請求項２】
前記時刻補正手段は、前記時計機能の時刻を補正した場合にユーザインターフェース部においてその旨を表示させることを特徴とする請求項１に記載の情報処理装置。
【請求項３】
近接するＲＦＩＤタグに対して情報の送受信をおこなうリーダライタであって、
現在時刻を保持する時計機能と、
近接するＲＦＩＤタグに対して前記時計機能が保持する時刻情報を含んだ情報を送信する送信手段と
を備えたことを特徴とするリーダライタ。
【請求項４】
ＲＦＩＤタグを備えた情報処理装置の時計機能が保持する時刻を補正する時刻補正プログラムであって、
前記ＲＦＩＤタグが時刻情報を受信した場合に、受信した時刻情報を基にして前記時計機能の時刻を補正する時刻補正手順
をコンピュータに実行させることを特徴とする時刻補正プログラム。
【請求項５】
ＲＦＩＤタグを備えた情報処理装置の時計機能が保持する時刻を補正する時刻補正方法であって、
前記ＲＦＩＤタグの近接を認識したリーダライタにおいて、自装置が保持する時刻情報を前記ＲＦＩＤタグに対して送信する時刻情報送信工程と、
時刻情報送信工程により送信された時刻情報をＲＦＩＤタグが受信した情報処理装置において、受信した時刻情報を基にして前記時計機能の時刻を補正する時刻補正工程と
を含んだことを特徴とする時刻補正方法。
【発明の詳細な説明】
【技術分野】
【０００１】
この発明は、情報処理装置、リーダライタ、時刻補正プログラムおよび時刻補正方法に関し、特に、利用者に負担をかけずに、無線回線の帯域を消費することなく時刻補正をおこなうことができる情報処理装置、リーダライタ、時刻補正プログラムおよび時刻補正方法に関するものである。
【背景技術】
【０００２】
近年、携帯電話端末装置は、通話のみでなく、メールの送受信、ＷＥＢページの閲覧、スケジュール管理等の様々な目的で利用されるようになってきている。また、携帯電話端末の時計機能を利用して、携帯電話端末装置を腕時計代わりに利用する人も増えている。
【０００３】
携帯電話端末装置を腕時計代わりに利用する場合、時間の精度が問題となる。携帯電話端末装置の時計機能は、精度があまり高くないものが多く、１日あたり数秒の誤差が発生することが珍しくない。テレビやラジオ等の時報に合わせて利用者が頻繁に時間を補正すれば問題ないが、利用者に大きな負担がかかる。
【０００４】
利用者に負担をかけずに携帯電話端末装置の時間を補正するために、特許文献１では、インターネット接続をおこなった際に、タイムサーバから時刻情報を取得して自動的に時刻補正をおこなう携帯電話端末装置に関する技術が開示されている。また、特許文献２では、基地局との情報のやりとりの中で、基地局から時刻情報を取得して自動的に時刻補正をおこなう携帯電話端末装置に関する技術が開示されている。
【０００５】
【特許文献１】特開２００２−２７５５５号公報
【特許文献２】特開２００２−３００６４０号公報
【発明の開示】
【発明が解決しようとする課題】
【０００６】
しかしながら、特許文献１や特許文献２において開示されている技術のようにインターネット接続や基地局とのやり取りの中で時刻情報を取得する場合、無線回線の帯域を消費してしまうという問題がある。近年、携帯電話端末装置の通信機能は大幅に高速化されており、それに伴って通信量も増加している。無線回線の限られた帯域を有効に利用するには、時刻情報の送信によって帯域を消費することは好ましくない。
【０００７】
この発明は、上述した従来技術による問題点を解消するためになされたものであり、利用者に負担をかけずに、無線回線の帯域を消費することなく時刻補正をおこなうことができる携帯電話端末装置等の情報処理装置、リーダライタ、時刻補正プログラムおよび時刻補正方法を提供することを目的とする。
【課題を解決するための手段】
【０００８】
上述した課題を解決し、目的を達成するため、本発明は、時計機能を有する情報処理装置であって、時刻情報を含む情報を受信するＲＦＩＤタグと、前記ＲＦＩＤタグが時刻情報を受信した場合に、受信した時刻情報を基にして前記時計機能の時刻を補正する時刻補正手段とを備えたことを特徴とする。
【０００９】
また、本発明は、近接するＲＦＩＤタグに対して情報の送受信をおこなうリーダライタであって、現在時刻を保持する時計機能と、近接するＲＦＩＤタグに対して前記時計機能が保持する時刻情報を含んだ情報を送信する送信手段とを備えたことを特徴とする。
【００１０】
また、本発明は、ＲＦＩＤタグを備えた情報処理装置の時計機能が保持する時刻を補正する時刻補正プログラムであって、前記ＲＦＩＤタグが時刻情報を受信した場合に、受信した時刻情報を基にして前記時計機能の時刻を補正する時刻補正手順をコンピュータに実行させることを特徴とする。
【００１１】
また、本発明は、ＲＦＩＤタグを備えた情報処理装置の時計機能が保持する時刻を補正する時刻補正方法であって、前記ＲＦＩＤタグの近接を認識したリーダライタにおいて、自装置が保持する時刻情報を前記ＲＦＩＤタグに対して送信する時刻情報送信工程と、時刻情報送信工程により送信された時刻情報をＲＦＩＤタグが受信した情報処理装置において、受信した時刻情報を基にして前記時計機能の時刻を補正する時刻補正工程とを含んだことを特徴とする。
【００１２】
この発明によれば、リーダライタから時刻情報をＲＦＩＤタグに対して送信し、ＲＦＩＤタグを備えた情報処理装置において、ＲＦＩＤタグが受信した時刻情報を基にして時刻補正をおこなうように構成したので、利用者が日常生活においてＲＦＩＤタグを備えた情報処理装置活用する中で、利用者に特別な操作をさせることなく情報処理装置の時刻を補正することができる。
【００１３】
また、リーダライタとＲＦＩＤタグのやり取りの中で時刻情報を送信するように構成したので、無線回線の帯域を消費することなく時刻補正をおこなうことができる。
【００１４】
また、本発明は、上記の発明において、前記時刻補正手段は、前記時計機能の時刻を補正した場合にユーザインターフェース部においてその旨を表示させることを特徴とする。
【００１５】
この発明によれば、時刻補正をおこなった場合に、その旨をユーザインターフェース部に表示するように構成したので、利用者に対して時刻補正をおこなったことを通知することができる。
【発明の効果】
【００１６】
本発明によれば、リーダライタから時刻情報をＲＦＩＤタグに対して送信し、ＲＦＩＤタグを備えた情報処理装置において、ＲＦＩＤタグが受信した時刻情報を基にして時刻補正をおこなうように構成したので、利用者が日常生活においてＲＦＩＤタグを備えた情報処理装置活用する中で、利用者に特別な操作をさせることなく情報処理装置の時刻を補正することができるという効果を奏する。
【００１７】
また、本発明によれば、リーダライタとＲＦＩＤタグのやり取りの中で時刻情報を送信するように構成したので、無線回線の帯域を消費することなく時刻補正をおこなうことができるという効果を奏する。
【００１８】
また、本発明によれば、時刻補正をおこなった場合に、その旨をユーザインターフェース部に表示するように構成したので、利用者に対して時刻補正をおこなったことを通知することができるという効果を奏する。
【発明を実施するための最良の形態】
【００１９】
以下に添付図面を参照して、本発明に係る情報処理装置、リーダライタ、時刻補正プログラムおよび時刻補正方法の好適な実施の形態を詳細に説明する。なお、以下の実施例では、携帯電話端末装置の時刻を補正する場合を例にして説明をおこなうが、本発明に係る時刻補正方式は、携帯電話端末装置以外の情報処理装置においても有効である。
【実施例】
【００２０】
まず、本実施例に係る時刻補正方式の概要について説明する。本実施例に係る時刻補正方式は、ＲＦＩＤタグを備えた情報処理装置とリーダライタとの組み合わせによって実現される。
【００２１】
図１は、本実施例に係る時刻補正方式の概要を説明するための説明図である。同図は、携帯電話端末装置１００とリーダライタ２００との組み合わせによって時刻補正をおこなう例を示している。
【００２２】
携帯電話端末装置１００は、ＲＦＩＤタグを内蔵した携帯電話端末装置であり、時計機能も備える。リーダライタ２００は、ＲＦＩＤに対して情報の読み書きをおこなう装置であり、正確な時間を保持している。図１に示した例では、決済等の目的で、利用者が携帯電話端末装置１００をリーダライタ２００にかざした際に、リーダライタ２００から携帯電話端末装置１００に対して時刻情報を送信し、携帯電話端末装置１００の時計機能の時刻補正をおこなう。
【００２３】
図２は、携帯電話端末装置１００とリーダライタ２００の間の情報のやりとりを示すシーケンス図である。同図に示すように、リーダライタ２００のリードライト部２２０は、携帯電話端末装置１００のＲＦＩＤタグ１５０を認識すると（ステップＳ１０１）、制御部２１０に対してＲＦＩＤタグ１５０を認識した旨を通知する（ステップＳ１０２）。
【００２４】
通知を受けた制御部２１０は、時刻管理部２３０に対して時刻の問い合わせをおこない（ステップＳ１０３）、時刻管理部２３０は、自身が保持する時刻情報を制御部２１０へ応答する（ステップＳ１０４）。時刻情報を取得した制御部２１０は、時刻情報を所定のフォーマットに整形し、リードライト部２２０に対して他の情報とともに送信するように指示する（ステップＳ１０５）。
【００２５】
携帯電話端末装置１００では、リードライト部２２０から送信された時刻情報をＲＦＩＤタグ１５０が受信すると（ステップＳ１０６）、時刻補正部１１２がＲＦＩＤタグ１５０から時刻情報を取得する（ステップＳ１０７）。そして、取得した時刻情報に基づいて、時刻管理部１１１が保持する時刻を補正する（ステップＳ１０８）。
【００２６】
このように、本実施例に係る時刻補正方式では、通常の利用目的で携帯電話端末装置１００をリーダライタ２００にかざした際に時刻補正をおこなうので、利用者に負担をかけることなく携帯電話端末装置１００の時刻を補正することができる。また、ＲＦＩＤタグとリーダライタ２００とのやりとりの中で時刻情報を送信するため、携帯電話端末装置１００と基地局との間の無線回線の帯域を消費することがない。
【００２７】
また、本実施例に係る時刻補正方式は、基地局との通信やインターネット接続を必要としないため、携帯電話端末装置のみでなく、ＲＦＩＤタグを備えたパソコン等の情報処理装置において広く利用することができる。
【００２８】
次に、図１に示した携帯電話端末装置１００とリーダライタ２００の構成について説明する。図３は、図１に示した携帯電話端末装置１００とリーダライタ２００の構成を示すブロック図である。
【００２９】
携帯電話端末装置１００は、制御部１１０と、記憶部１２０と、マイク１３０と、スピーカ１４０と、ＲＦＩＤタグ１５０と、通信部１６０と、ユーザインターフェース部１７０とを有する。
【００３０】
制御部１１０は、携帯電話端末装置１００を全体制御する制御部であり、時刻管理部１１１と、時刻補正部１１２と、ＲＦＩＤタグ制御部１１３と、通信制御部１１４と、ユーザインターフェース制御部１１５とを有する。時刻管理部１１１は、時刻を管理する管理部である。
【００３１】
時刻補正部１１２は、時刻管理部１１１が管理する時刻を補正する処理部である。具体的には、ＲＦＩＤタグ１５０が時刻情報を受信した場合に、ＲＦＩＤタグ１５０から時刻情報を取得し、取得した時刻情報が適正なフォーマットであるかを判断し、適正であればその時刻情報を時刻管理部１１１に設定する。
【００３２】
ここで、時刻情報の一例を示す。図４は、時刻情報のフォーマットの一例を示すサンプル図である。同図に示すように、時刻情報３０は、ヘッダ１０やデータ２１〜２２等とともに送信され、たとえば、１４バイトの文字からなる。この文字は、先頭から４バイトが西暦の年、以下２バイトずつ、月、日、時、分、秒を表している。
【００３３】
図４の例では、時刻情報３０は、「２００４１１２８１０５６３０」という１４バイトの文字からなり、２００４年１１月２８日１０時５６分３０秒を表している。
【００３４】
時刻補正部１１２は、ＲＦＩＤタグ１５０が受信した時刻情報が所定のフォーマットに合致するか否かと、時刻情報として適正な内容であるか否かを判断し、フォーマットが不正な場合、もしくは、内容が不正な場合は、これを破棄して時刻管理部１１１への反映をおこなわない。
【００３５】
なお、リーダライタの種類によって送信される時刻情報のフォーマットが異なる場合は、時刻補正部１１２が複数の時刻情報のフォーマットから適切なフォーマットを自動判別するように構成してもよい。また、リーダライタが時刻情報とともに時刻情報のフォーマット情報も送信するようにし、時刻補正部１１２が送信されたフォーマット情報を基にしてフォーマットの判定をおこなうように構成してもよい。
【００３６】
また、時刻補正部１１２は、利用者の設定によっても時刻管理部１１１へ時刻情報を設定するか否かを判断する。
【００３７】
図５は、時刻補正機能を無効にする設定画面の一例を示すサンプル図である。利用者は、時刻の自動補正を希望しない場合、この画面で時刻補正機能を無効に設定することができる。この画面で時刻補正機能が無効に設定された場合、その設定内容が記憶部１２０に記憶される。そして、時刻補正部１１２は、記憶部１２０に時刻補正機能を無効にする設定が記憶されている場合には、時刻管理部１１１への時刻の設定をおこなわない。
【００３８】
図６は、時刻補正機能の補正範囲を設定する設定画面の一例を示すサンプル図である。携帯電話端末装置１００とリーダライタ２００との時刻の差が非常に大きい場合、リーダライタ２００の時刻が不正である可能性がある。また、利用者によっては、時刻が多少ずれていても構わず、時刻補正の頻度を低くしたい場合がある。その様な場合に、利用者は、この画面で時刻の自動補正をおこなう場合の誤差の下限値と上限値を設定することができる。
【００３９】
この画面で誤差の下限値と上限値が無効に設定された場合、その設定内容が記憶部１２０に記憶される。そして、時刻補正部１１２は、リーダライタ２００から取得した時刻情報と時刻管理部１１１の時刻との誤差がこの範囲外にある場合は、時刻管理部１１１への時刻の設定をおこなわない。なお、下限値に０を設定することで誤差の下限値を無効化することができ、上限値に０を設定することで誤差の上限値を無効化することができる。
【００４０】
図７は、時刻補正機能のスケジュールを設定する設定画面の一例を示すサンプル図である。携帯電話端末装置１００のＲＦＩＤタグ１５０は、電車の定期券としての機能を有しているものとする。そして、携帯電話端末装置１００の利用者は、通勤途中に必ず通過する改札があり、その改札で携帯電話端末装置１００をかざした場合のみ時刻補正をおこないたいとものとする。このような場合、利用者が改札を通過する時間帯をスケジュールとして登録しておき、その時間帯のみ時刻補正を有効とすることで利用者の希望を実現することができる。
【００４１】
この画面で時刻補正を有効とする時間帯がスケジュールとして設定された場合、その設定内容が記憶部１２０に記憶される。そして、時刻補正部１１２は、現在時刻がそのスケジュールの範囲外にある場合は、時刻管理部１１１への時刻の設定をおこなわない。なお、時刻補正を無効とする時間帯をスケジュールとして設定し、現在時刻がそのスケジュールの範囲内にある場合は、時刻管理部１１１への時刻の設定をおこなわないようにすることもできる。
【００４２】
また、時刻補正部１１２は、時刻管理部１１１へ時刻情報を設定した場合、ユーザインターフェース制御部１１５に指示してメッセージやＬＥＤ（Light Emitting Diode）の点滅等によって時刻補正を実行した旨を利用者に通知する。なお、利用者がＷＥＢページの閲覧等でユーザインターフェース部１７０を使用している最中に時刻補正がおこなわれた場合は、時刻補正を実行した旨の通知をおこなわないように構成してもよい。
【００４３】
図３の説明に戻って、ＲＦＩＤタグ制御部１１３は、ＲＦＩＤタグ１５０に対する情報の読み書きに関連する処理を制御する制御部である。たとえば、ＲＦＩＤタグ１５０に対して時刻情報が送信された場合、ＲＦＩＤタグ制御部１１３は、時刻情報が送信された旨を時刻補正部１１２に通知し、送信された時刻情報を時刻補正部１１２に引き渡す。
【００４４】
通信制御部１１４は、通信部１６０を制御して、音声通話やインターネット接続を実現する制御部である。ユーザインターフェース制御部１１５は、ユーザインターフェース部１７０を制御する制御部であり、時刻補正がおこなわれた後に、時刻補正部１１２の指示に基づいてメッセージの表示やＬＥＤの点滅等をおこなう。
【００４５】
図８は、時刻補正を実行した旨を通知するメッセージ表示の一例を示すサンプル図であり、図９は、時刻補正を実行した旨を通知するＬＥＤの点滅の一例を示すサンプル図である。
【００４６】
記憶部１２０は、各種の情報を記憶する記憶部であり、時刻補正に関する設定情報もここに記憶される。マイク１３０とスピーカ１４０は、音声通話等に使用されるマイクとスピーカである。
【００４７】
ＲＦＩＤタグ１５０は、固有のＩＤを割り当てられたタグであり、電磁波によって情報を送受信するためのアンテナと各種情報を記憶するための記憶回路とを備える。
【００４８】
通信部１６０は、音声通話やインターネット接続を物理的に実現するための装置であり、ユーザインターフェース部１７０は、ディスプレイ、ＬＥＤ、操作パネル等からなり、利用者への情報提供と利用者からの操作の受け入れをおこなう。
【００４９】
リーダライタ２００は、制御部２１０と、リードライト部２２０と、時刻管理部２３０と、記憶部２４０とを有する。制御部２１０は、リーダライタ２００を全体制御する制御部であり、時刻送信部２１１を有する。
【００５０】
時刻送信部２１１は、リードライト部２２０においてＲＦＩＤタグ１５０が認識された場合に、時刻管理部２３０にて保持されている時刻情報を取得し、これをリードライト部２２０を介してＲＦＩＤタグ１５０に送信する処理部である。
【００５１】
リードライト部２２０は、ＲＦＩＤタグ１５０の近接を認識し、必要に応じて情報の送受信をおこなう処理部である。時刻管理部２３０は、時刻を管理する管理部である。時刻管理部２３０は、たとえば、定期的にインターネット上のタイムサーバにアクセスすること等により正確な時刻を保持するように構成される。記憶部２４０は、各種の情報を保持する記憶部である。
【００５２】
次に、図３に示したリーダライタ２００の処理手順について説明する。図１０は、図３に示したリーダライタ２００の処理手順を示すフローチャートである。同図に示すように、リーダライタ２００のリードライト部２２０においてＲＦＩＤタグの近接が認識されると（ステップＳ２０１）、時刻送信部２１１が時刻管理部２３０から時刻情報を取得する（ステップＳ２０２）。
【００５３】
そして、取得した時刻情報を所定のフォーマットに整形し（ステップＳ２０３）、他のデータと組み合わせて送信データを作成し（ステップＳ２０４）、リードライト部２２０を介してＲＦＩＤタグに対して送信する（ステップＳ２０５）。
【００５４】
次に、図３に示した携帯電話端末装置１００の時刻補正処理の処理手順について説明する。図１１は、図３に示した携帯電話端末装置１００の処理手順を示すフローチャートである。
【００５５】
同図に示すように、携帯電話端末装置１００のＲＦＩＤタグ１５０においてデータが受信されると（ステップＳ３０１）、ＲＦＩＤタグ制御部１１３が受信データ中に時刻情報が含まれるか否かを確認する。ここで、時刻情報が含まれない場合は（ステップＳ３０２否定）、時刻補正処理を終了する。
【００５６】
受信データに時刻情報が含まれる場合は（ステップＳ３０２肯定）、時刻補正部１１２が時刻情報のフォーマットをチェックする（ステップＳ３０３）。ここで、フォーマットに問題があれば（ステップＳ３０４否定）、時刻補正処理を終了し、問題がなければ（ステップＳ３０４肯定）、後述する時刻補正要否確認処理をおこなう（ステップＳ３０５）。
【００５７】
時刻補正要否確認処理において時刻補正が不要と判断された場合は（ステップＳ３０６否定）、時刻補正処理を終了する。時刻補正が必要と判断された場合は（ステップＳ３０６肯定）、時刻管理部１１１に時刻を設定し（ステップＳ３０７）、ユーザインターフェース制御部１１５に指示して時刻補正をおこなった旨を利用者に通知させる（ステップＳ３０８）。
【００５８】
次に、図１１に示した時刻補正要否確認処理の処理手順について説明する。図１２は、図１１に示した時刻補正要否確認処理の処理手順を示すフローチャートである。
【００５９】
同図に示すように、まず、時刻補正機能が有効に設定されているか否かを確認する。ここで、時刻補正機能が有効に設定されている場合は（ステップＳ４０１肯定）、時刻の誤差が設定されている有効範囲内か否かを確認する。ここで、時刻の誤差が有効範囲内の場合は（ステップＳ４０２肯定）、さらに、現在時刻が設定されているスケジュール期間内か否かを確認する。
【００６０】
そして、現在時刻がスケジュール期間内の場合は（ステップＳ４０３肯定）、時刻補正が必要であると判断する（ステップＳ４０４）。上記の３つの条件のいずれかに該当しない場合は（ステップＳ４０１否定、ステップＳ４０２否定またはステップＳ４０３否定）、時刻補正が不要であると判断する（ステップＳ４０５）。
【００６１】
なお、ここに示した３つの条件は一例であり、これらの一部だけで時刻補正の要否を判断してもよいし、他の条件を組み合わせて時刻補正の要否を判断してもよい。
【００６２】
上記実施例で説明した時刻補正部１１２の各種の処理は、あらかじめ用意された時刻補正プログラムを実行することによっても実現することができる。そこで、以下では、携帯電話端末装置１００をコンピュータとみなし、時刻補正プログラムの実行例を説明する。
【００６３】
図１３は、時刻補正プログラムを実行するコンピュータを示す機能ブロック図である。このコンピュータ１０００は、ユーザからのデータの入力を受け付ける入力装置１０１０、ユーザに対して情報を表示するディスプレイ１０２０、ＬＥＤ１０３０、時刻を計時するクロック１０４０、ＲＦＩＤタグ１０５０、各種情報を一時記憶するＲＡＭ（Random Access Memory）１０６０、不揮発性メモリ１０７０およびＣＰＵ（Central Processing Unit）１０８０を接続して構成される。
【００６４】
そして、不揮発性メモリ１０７０には、時刻補正部１１２の機能と同様の機能を発揮するプログラムである時刻補正プログラム１０７０ｂが記憶されている。不揮発性メモリ１０７０には、時刻補正要否確認処理のための時刻補正要否設定情報１０７０ａも記憶される。
【００６５】
ＣＰＵ１０８０が、時刻補正プログラム１０７０ｂを不揮発性メモリ１０７０から読み出して実行することにより、同プログラムは時刻補正プロセス１０８０ａとして機能するようになる。
【００６６】
また、ＣＰＵ１０８０は、不揮発性メモリ１０７０の時刻補正要否設定情報１０７０ａから適宜必要な情報を読み出してＲＡＭ１０６０に時刻補正要否設定データ１０６０ｂとして格納する。また、ＲＡＭ１０６０には、ＲＦＩＤタグ１０５０が受信した時刻情報が時刻データ１０６０ａとして格納される。
【００６７】
そして、ＣＰＵ１０８０は、このＲＡＭ１０６０に格納された時刻データ１０６０ａと時刻補正要否設定データ１０６０ｂに基づいて各種データ処理を実行する。
【００６８】
なお、上記の時刻補正プログラム１０７０ｂについては、必ずしも不揮発性メモリ１０７０に格納されている必要はなく、メモリカード等の記憶媒体に記憶された時刻補正プログラム１０７０ｂを、コンピュータ１０００が読み出して実行するようにしてもよい。また、無線通信等によるネットワーク等を介してコンピュータ１０００に接続される他のコンピュータ（またはサーバ）などに時刻補正プログラム１０７０ｂを記憶させておき、コンピュータ１０００がこれらからプログラムを読み出して実行するようにしてもよい。
【００６９】
上述してきたように、本実施例では、リーダライタから時刻情報をＲＦＩＤタグに対して送信し、ＲＦＩＤタグを備えた情報処理装置において、ＲＦＩＤタグが受信した時刻情報を基にして時刻補正をおこなうように構成したので、利用者が日常生活においてＲＦＩＤタグを備えた情報処理装置活用する中で、利用者に特別な操作をさせることなく情報処理装置の時刻を補正することができる。
【００７０】
また、本実施例では、リーダライタとＲＦＩＤタグのやり取りの中で時刻情報を送信するように構成したので、無線回線の帯域を消費することなく時刻補正をおこなうことができる。
【００７１】
（付記１）時計機能を有する情報処理装置であって、
時刻情報を含む情報を受信するＲＦＩＤタグと、
前記ＲＦＩＤタグが時刻情報を受信した場合に、受信した時刻情報を基にして前記時計機能の時刻を補正する時刻補正手段と
を備えたことを特徴とする情報処理装置。
【００７２】
（付記２）前記時刻補正手段は、前記時計機能の時刻を補正した場合にユーザインターフェース部においてその旨を表示させることを特徴とする付記１に記載の情報処理装置。
【００７３】
（付記３）前記時刻補正手段は、時刻補正を無効とする旨の設定が予めなされている場合には、前記時計機能の時刻を補正しないことを特徴とする付記１または２に記載の情報処理装置。
【００７４】
（付記４）前記時刻補正手段は、前記ＲＦＩＤタグが受信した時刻情報と前記時計機能が保持する時刻の時間差が予め設定されている範囲外にある場合には、前記時計機能の時刻を補正しないことを特徴とする付記１、２または３に記載の情報処理装置。
【００７５】
（付記５）前記時刻補正手段は、現在時刻が予め設定されている時間帯の範囲外にある場合には、前記時計機能の時刻を補正しないことを特徴とする付記１〜４のいずれか一つに記載の情報処理装置。
【００７６】
（付記６）近接するＲＦＩＤタグに対して情報の送受信をおこなうリーダライタであって、
現在時刻を保持する時計機能と、
近接するＲＦＩＤタグに対して前記時計機能が保持する時刻情報を含んだ情報を送信する送信手段と
を備えたことを特徴とするリーダライタ。
【００７７】
（付記７）ＲＦＩＤタグを備えた情報処理装置の時計機能が保持する時刻を補正する時刻補正プログラムであって、
前記ＲＦＩＤタグが時刻情報を受信した場合に、受信した時刻情報を基にして前記時計機能の時刻を補正する時刻補正手順
をコンピュータに実行させることを特徴とする時刻補正プログラム。
【００７８】
（付記８）前記時刻補正手順は、前記時計機能の時刻を補正した場合にユーザインターフェース部においてその旨を表示させることを特徴とする付記７に記載の時刻補正プログラム。
【００７９】
（付記９）前記時刻補正手順は、時刻補正を無効とする旨の設定が予め記憶手段に記憶されている場合には、前記時計機能の時刻を補正しないことを特徴とする付記７または８に記載の時刻補正プログラム。
【００８０】
（付記１０）前記時刻補正手順は、前記ＲＦＩＤタグが受信した時刻情報と前記時計機能が保持する時刻の時間差が予め記憶手段に記憶されている範囲外にある場合には、前記時計機能の時刻を補正しないことを特徴とする付記７、８または９に記載の時刻補正プログラム。
【００８１】
（付記１１）前記時刻補正手順は、現在時刻が予め記憶手段に記憶されている時間帯の範囲外にある場合には、前記時計機能の時刻を補正しないことを特徴とする付記７〜１０のいずれか一つに記載の時刻補正プログラム。
【００８２】
（付記１２）ＲＦＩＤタグを備えた情報処理装置の時計機能が保持する時刻を補正する時刻補正方法であって、
前記ＲＦＩＤタグの近接を認識したリーダライタにおいて、自装置が保持する時刻情報を前記ＲＦＩＤタグに対して送信する時刻情報送信工程と、
時刻情報送信工程により送信された時刻情報をＲＦＩＤタグが受信した情報処理装置において、受信した時刻情報を基にして前記時計機能の時刻を補正する時刻補正工程と
を含んだことを特徴とする時刻補正方法。
【００８３】
（付記１３）前記時刻補正工程は、前記時計機能の時刻を補正した場合にユーザインターフェース部においてその旨を表示させることを特徴とする付記１２に記載の時刻補正方法。
【００８４】
（付記１４）前記時刻補正工程は、時刻補正を無効とする旨の設定が予め記憶手段に記憶されている場合には、前記時計機能の時刻を補正しないことを特徴とする付記１２または１３に記載の時刻補正方法。
【００８５】
（付記１５）前記時刻補正工程は、前記ＲＦＩＤタグが受信した時刻情報と前記時計機能が保持する時刻の時間差が予め記憶手段に記憶されている範囲外にある場合には、前記時計機能の時刻を補正しないことを特徴とする付記１２、１３または１４に記載の時刻補正方法。
【００８６】
（付記１６）前記時刻補正工程は、現在時刻が予め記憶手段に記憶されている時間帯の範囲外にある場合には、前記時計機能の時刻を補正しないことを特徴とする付記１２〜１５のいずれか一つに記載の時刻補正方法。
【産業上の利用可能性】
【００８７】
以上のように、本発明に係る情報処理装置、リーダライタ、時刻補正プログラムおよび時刻補正方法は、情報処理装置が保持する時刻の補正に有用であり、特に、利用者に負担をかけずに、無線回線の帯域を消費することなく時刻補正をおこなうことが必要な場合に適している。
【図面の簡単な説明】
【００８８】
【図１】本実施例に係る時刻補正方式の概要を説明するための説明図である。
【図２】携帯電話端末装置とリーダライタの間の情報のやりとりを示すシーケンス図である。
【図３】図１に示した携帯電話端末装置とリーダライタの構成を示すブロック図である。
【図４】時刻情報のフォーマットの一例を示すサンプル図である。
【図５】時刻補正機能を無効にする設定画面の一例を示すサンプル図である。
【図６】時刻補正機能の補正範囲を設定する設定画面の一例を示すサンプル図である。
【図７】時刻補正機能のスケジュールを設定する設定画面の一例を示すサンプル図である。
【図８】時刻補正を実行した旨を通知するメッセージ表示の一例を示すサンプル図である。
【図９】時刻補正を実行した旨を通知するＬＥＤの点滅の一例を示すサンプル図である。
【図１０】図３に示したリーダライタの処理手順を示すフローチャートである。
【図１１】図３に示した携帯電話端末装置の処理手順を示すフローチャートである。
【図１２】図１１に示した時刻補正要否確認処理の処理手順を示すフローチャートである。
【図１３】時刻補正プログラムを実行するコンピュータを示す機能ブロック図である。
【符号の説明】
【００８９】
１０    ヘッダ
２１、２２  データ
３０    時刻情報
１００    携帯電話端末装置
１１０    制御部
１１１    時刻管理部
１１２    時刻補正部
１１３    ＲＦＩＤタグ制御部
１１４    通信制御部
１１５    ユーザインターフェース制御部
１２０    記憶部
１３０    マイク
１４０    スピーカ
１５０    ＲＦＩＤタグ
１６０    通信部
１７０    ユーザインターフェース部
２００    リーダライタ
２１０    制御部
２１１    時刻送信部
２２０    リードライト部
２３０    時刻管理部
２４０    記憶部
１０００    コンピュータ
１０１０    入力装置
１０２０    ディスプレイ
１０３０    ＬＥＤ
１０４０    クロック
１０５０    ＲＦＩＤタグ
１０６０    ＲＡＭ
１０６０ａ  時刻データ
１０６０ｂ  時刻補正要否設定データ
１０７０    不揮発性メモリ
１０７０ａ  時刻補正要否設定情報
１０７０ｂ  時刻補正プログラム
１０８０    ＣＰＵ
１０８０ａ  時刻補正プロセス
【図１】
2007040881.tif 000003
【図２】
2007040881.tif 000004
【図３】
2007040881.tif 000005
【図４】
2007040881.tif 000006
【図５】
2007040881.tif 000007
【図６】
2007040881.tif 000008
【図７】
2007040881.tif 000009
【図８】
2007040881.tif 000010
【図９】
2007040881.tif 000011
【図１０】
2007040881.tif 000012
【図１１】
2007040881.tif 000013
【図１２】
2007040881.tif 000014
【図１３】
2007040881.tif 000015